(57)【特許請求の範囲】
【請求項１】
色温度が異なる２以上の光源部を備えた照明光源に接続された各点灯回路に、２以上の調光信号を出力する調光調色制御装置であって、
調光器が備える操作手段の指標の位置に基づく調光調色情報が入力され、第１所定時間内における前記調光器の前記調光調色情報の変化が、前記指標が所定間隔以上で往復することで発生する予め定めた特定の変化と一致するか否かを判断し、複数の調光調色カーブ情報のうち、当該特定の変化に対応する調光調色カーブ情報を選択する情報判断部と、
前記情報判断部が選択した前記調光調色カーブ情報に基づいて、前記調光調色情報により、各前記点灯回路に２以上の調光信号を出力する調光信号生成部と、
を備えることを特徴とする調光調色制御装置。
【請求項２】
前記複数の調光調色カーブ情報を記憶する記憶部を更に備える、
ことを特徴とする請求項１に記載の調光調色制御装置。
【請求項３】
前記調光器は、前記照明光源をオンオフするスイッチを備えており、
前記情報判断部は、前記スイッチがオンされた後の第２所定時間内に、前記第１所定時間内における前記調光調色情報の変化が予め定めた前記特定の変化と一致するか否かを判断し、当該特定の変化に対応する調光調色カーブ情報を選択する、
ことを特徴とする請求項１または請求項２に記載の調光調色制御装置。
【請求項４】
色温度が異なる２以上の光源部を備えた照明光源に接続された各点灯回路に、２以上の調光信号を出力する調光調色制御装置であって、
特定の操作範囲と、当該特定の操作範囲の両側に設けられる一方の操作範囲と他方の操作範囲とを操作可能範囲に含む、調光器が備える操作手段の指標の位置に基づく調光調色情報が入力され、第１所定時間内における前記調光器の前記調光調色情報の変化が、前記指標が前記一方の操作範囲と前記他方の操作範囲とを往復することで発生する予め定めた特定の変化と一致するか否かを判断し、複数の調光調色カーブ情報のうち、当該特定の変化に対応する調光調色カーブ情報を選択する情報判断部と、
前記情報判断部が選択した前記調光調色カーブ情報に基づいて、前記調光調色情報により、各前記点灯回路に２以上の調光信号を出力する調光信号生成部と、
を備えることを特徴とする調光調色制御装置。
【請求項５】
前記第１所定時間は、前記指標が前記特定の操作範囲から前記一方の操作範囲または前記他方の操作範囲に移動したタイミングを起点とする、
ことを特徴とする請求項４に記載の調光調色制御装置。
【請求項６】
色温度が異なる２以上の光源部を備えた照明光源に接続された各点灯回路に、２以上の調光信号を出力する調光調色制御装置であって、
調光器より入力される調光調色情報の変化に基づき、前記調光器が備える操作手段の指標の位置の第３所定時間内における往復回数が、予め定めた回数と一致するか否かを判断して、前記調光調色情報により調色情報を選択する色温度設定モードに遷移したのち、前記調光調色情報により調光情報を選択する調光モードに遷移する情報判断部と、
前記情報判断部が選択した調色情報または調光情報に基づき、各前記点灯回路に２以上の調光信号を出力する調光信号生成部と、
を備えることを特徴とする調光調色制御装置。
【請求項７】
前記調光器は、前記照明光源をオンオフするスイッチを備えており、
前記情報判断部は、前記調光器より入力される前記調光調色情報の変化に基づき、前記調光器が備える操作手段の指標の位置の前記スイッチがオンされた後の第３所定時間内における往復回数が、予め定めた回数と一致するか否かを判断して、前記調光調色情報により調色情報を選択する色温度設定モードに遷移したのち、前記調光調色情報により調光情報を選択する調光モードに遷移する、
ことを特徴とする請求項６に記載の調光調色制御装置。
【請求項８】
請求項１ないし請求項７のいずれか１項に記載の調光調色制御装置と、
前記調光器と、
２以上の前記点灯回路および前記光源部と、
を備えることを特徴とする照明制御システム。
【発明の詳細な説明】
【技術分野】
【０００１】
本発明は、調光調色制御装置およびそれを用いた照明制御システムに関する。
【背景技術】
【０００２】
従来から照明器具を調光するためのコントローラ（調光器）が提供されている。このコントローラは、例えば、ロータリ式の可変抵抗器と、可変抵抗器の抵抗値に基づいたデューティ比率のデューティ信号を生成する制御回路を備える。このコントローラは、可変抵抗器に取り付けられて所定の範囲内で回動する調光ツマミを有しており、この調光ツマミを操作することで可変抵抗器の抵抗値を変化させて、この抵抗値に応じた調光信号を照明器具に出力する。このコントローラにより、照明器具を調光することができる。
【０００３】
近年では、照明器具が発する光の色温度を調整可能な照明制御システムが提供されるようになっている。例えば特許文献１には、単一の調光制御信号を用いて、照明器具全体として発する光の色温度を可変とすることができる制御装置が記載されている。
特許文献１に記載の制御装置は、特許文献１の段落００３２に記載されているように、単一の調光制御信号に基づいて、色温度の異なる２つの光源の明るさを調整しているので、照明器具全体として発する明るさを略一定にするとともに、色温度を可変にすることができる。すなわち、特許文献１に記載の制御装置は、調色制御を行うが、調光制御を行わない。
特許文献１の発明は、段落００６１に記載されているように、制御回路と、第１点灯装置および第２点灯装置とを別体としている。これにより、第１点灯装置および第２点灯装置として、汎用の点灯装置を使用することができる。汎用の点灯装置とは、例えば、色温度が固定の照明器具に組み込まれている点灯装置のことをいう。
【０００４】
特許文献２には、照射光の光量、および色温度をバランス良く調整でき、かつそれらを照明環境に応じて容易に設定できる色温度可変照明システムが開示されている。特許文献２に記載の色温度可変照明システムは、特許文献２の段落００１６に記載されているように、照射光の光量および色温度が、光量と色温度とが相関して変化するように規定した調光調色カーブに従って変化する。これにより、一般ユーザであっても照射光の光量と色温度とをバランス良く調整することができる。
複数の調光調色カーブが設けられているので、調光調色カーブを適宜切り替えることによって、照明環境に応じて光量および色温度を容易に設定することができる。
【先行技術文献】
【特許文献】
【０００５】
【特許文献１】特開２０１１−１８７１８１号公報
【特許文献２】特開２０１３−２５４６６６号公報
【発明の概要】
【発明が解決しようとする課題】
【０００６】
しかしながら、特許文献２に記載の発明は、同文献の段落００２６に記載されているように、複数の調光調色カーブがそれぞれシーン選択ボタンに割り当てられており、対応するボタンを押下することで、いずれかの調光調色カーブが選択可能となっている。よって、特許文献２に記載の発明では、汎用のコントローラを使うことができず、選択ボタンを備えた専用コントローラを使用しなければならないという問題を生じる。
【０００７】
そこで、本発明は、選択ボタンなどを備えた専用のコントローラを用いることなく、汎用コントローラで照明光源の調光調色カーブを切り替え可能な調光調色制御装置と照明制御システムとを提供することを課題とする。
【課題を解決するための手段】
【０００８】
前記した課題を解決するため、第１の発明の調光調色制御装置は、色温度が異なる２以上の光源部を備えた照明光源に接続された各点灯回路に、２以上の調光信号を出力する。調光調色制御装置は、調光器が備える操作手段の指標の位置に基づく調光調色情報が入力され、第１所定時間内におけるこの調光器の調光調色情報の変化が、前記指標が所定間隔以上で往復することで発生する予め定めた特定の変化と一致するか否かを判断し、複数の調光調色カーブ情報のうち、当該特定の変化に対応する調光調色カーブ情報を選択する情報判断部と、この情報判断部が選択した調光調色カーブ情報に基づいて、調光器の調光調色情報により、各点灯回路にそれぞれ２以上の調光信号を出力する調光信号生成部とを備える。
【０００９】
第２の発明の照明制御システムは、この調光調色制御装置と、前記複数の調光調色カーブ情報を記憶する記憶部とを備える。
その他の手段については、発明を実施するための形態のなかで説明する。
【発明の効果】
【００１０】
本発明によれば、汎用コントローラで照明光源の調光調色カーブを切り替えることが可能となる。
【図面の簡単な説明】
【００１１】
【図１】第１の実施形態における照明制御システムの概略を示す構成図である。
【図２】調光器を示す正面図である。
【図３】第１の実施形態における調光調色カーブ情報と光量および色温度の関係を説明するグラフである。
【図４】カーブＡにおける各点灯回路の出力電流とダイヤルの回転角との関係を説明する図である。
【図５】調光調色カーブ情報の選択処理のフローチャートである。
【図６】第２の実施形態における照明制御システムの概略を示す構成図である。
【図７】第３の実施形態における調光調色カーブ情報と光量および色温度の関係を説明するグラフである。
【図８】第３の実施形態における調光調色カーブ情報の選択処理のフローチャートである。
【図９】色温度選択処理のフローチャートである。
【発明を実施するための形態】
【００１２】
以降、本発明を実施するための形態を、各図を参照して詳細に説明する。
≪第１の実施形態≫
図１は、第１の実施形態における照明制御システム１００を示す概略の構成図である。
第１の実施形態の照明制御システム１００は、コントローラである調光器１０と、調光調色制御装置２０と、第１点灯回路３０ａおよび第２点灯回路３０ｂと、照明光源２００とを含んで構成される。
【００１３】
調光器１０（コントローラ）は、例えば壁面取り付け用の汎用のＰＷＭ（Pulse Width Modulation）調光器であり、回動可能なダイヤル１１と、不図示のオンオフスイッチとを備えている。調光器１０は、商用電源５０から交流電力ＡＣが供給され、ダイヤル１１の指標の位置に基づく調光調色情報を調光調色制御装置２０に出力する。調光器１０は更に、交流電力ＡＣを調光調色制御装置２０と、第１点灯回路３０ａと、第２点灯回路３０ｂとに供給する。
調光調色制御装置２０は、タイマ２１と、メモリ２２（記憶部）と、情報判断部２３と、調光信号生成部２４とを備える。
【００１４】
タイマ２１は、所謂ウォッチドッグタイマであり、設定された時間経過を検知する。
メモリ２２は、例えばＲＯＭ（Read Only Memory）であり、複数の調光調色カーブ情報ＳＡを記憶する。
【００１５】
情報判断部２３は、調光器１０より入力される調光調色情報の変化に基づき、メモリ２２に記憶された複数の調光調色カーブ情報ＳＡから、いずれかを選択して出力する。これにより、調光調色制御装置２０は、調光調色カーブの切り替えスイッチなどを設けることなく、調光調色カーブを切り替え可能である。
調光信号生成部２４は、情報判断部２３が選択した調光調色カーブ情報ＳＡに基づき、調光器１０の調光調色情報により、２以上の調光信号ｓ１，ｓ２を出力する。
照明光源２００は、色温度が異なる２つの光源である第１光源部４０ａと第２光源部４０ｂとを備える。なお、照明光源２００は、２つ以上の光源を備えていればよく、限定されない。
第１点灯回路３０ａは第１光源部４０ａに接続され、調光信号ｓ１に基づいて第１光源部４０ａを駆動する。第２点灯回路３０ｂは第２光源部４０ｂに接続され、調光信号ｓ２に基づいて第２光源部４０ｂを駆動する。
【００１６】
図２は、調光器１０を示す正面図である。
調光器１０（コントローラ）は、壁面取り付け用の汎用のＰＷＭ調光器である。調光器１０は、上部のダイヤル１１が、その下部にオンオフ用のスイッチ１３が設けられている。
【００１７】
ダイヤル１１は、略円筒形であり、回転操作可能に構成されている。ダイヤル１１は、現在の操作が容易に把握できるように指標１２が刻印されている。指標１２は、角度０°から角度３００°まで回転可能である。なおダイヤル１１の指標１２は、ダイヤル１１に視認可能に刻印されていなくてもよい。ダイヤル１１は、例えば角度０°よりも小さい方向への回転と角度３００°よりも大きい方向への回転とを規制することで、ユーザに指標１２を触覚的に認識可能としてもよく、限定されない。
ここでエリア＃２（特定の操作範囲）は、６０°から２４０°まで指標１２の角度である。エリア＃１（一方の操作範囲）は、０°から６０°まで指標１２の角度である。エリア＃３（他方の操作範囲）は、２４０°から３００°まで指標１２の角度である。本実施形態では、ダイヤル１１が操作可能なエリアを３つに分けて、エリア＃１とエリア＃３との往復回数をカウントしている。通常の調光操作では、このようなエリア＃１とエリア＃３との往復が短時間に発生することはない。よって、通常の調光操作と、調光調色カーブを切り替える特定の操作とを区別可能である。
また、このようにダイヤル１１が操作可能なエリアを３つに分けることにより、ダイヤル１１のチャタリングが往復操作と誤認識されることがなくなる。逆にいうと、操作可能なエリアを２つとして、この２つのエリアの往復回数をカウントすると、ダイヤル１１のチャタリングで誤動作するおそれがある。
ダイヤル１１は、この指標１２の位置に応じたデューティ比を有するＰＷＭ信号Ｓ０を生成する。ＰＷＭ信号Ｓ０は、例えば、１［ｋＨｚ］の周波数の信号であり、指標１２の位置に応じてオンデューティが５％から９５％の間で変更される。
【００１８】
スイッチ１３は、点灯部１４を備えた蛍スイッチであり、商用電源５０から調光調色制御装置２０、第１点灯回路３０ａ、および第２点灯回路３０ｂへの交流電力ＡＣの供給のオン／オフを制御する。スイッチ１３は更に、調光器１０から調光調色制御装置２０へのＰＷＭ信号Ｓ０の出力のオン／オフも制御する。
【００１９】
ユーザがスイッチ１３の点灯部１４側を押下すると、調光器１０から調光調色制御装置２０にＰＷＭ信号Ｓ０が出力されると共に、交流電力ＡＣが調光調色制御装置２０と第１点灯回路３０ａと第２点灯回路３０ｂに供給される。これにより照明光源２００が点灯する。このとき、点灯部１４は消灯している。
【００２０】
ユーザがスイッチ１３の点灯部１４の反対側を押下すると、点灯部１４が点灯し、ＰＷＭ信号Ｓ０の出力が停止すると共に、調光調色制御装置２０と第１点灯回路３０ａと第２点灯回路３０ｂへの交流電力ＡＣの供給が止まる。これにより照明光源２００が消灯する。
なお、本発明では、調光器１０として、ＰＷＭ式の調光器に限定されず、０〜１０［Ｖ］のＤＣ電圧を出力するタイプの調光器を用いてもよい。
【００２１】
第１点灯回路３０ａおよび第２点灯回路３０ｂは、商用電源５０を所望の直流電圧に変換する交流／直流変換回路である。第１点灯回路３０ａおよび第２点灯回路３０ｂは、調光信号ｓ１，ｓ２に基づいて、照明光源２００に直流電流を供給する。なお、調光信号ｓ１，ｓ２は、例えばＰＷＭ信号であるが、これに限定されず、ＰＡＭ（pulse-amplitude modulation）などの任意のパルス変調方式であってもよい。
【００２２】
照明光源２００は、互いに色温度の異なるＬＥＤ（Light Emitting Diode）モジュールである第１光源部４０ａと第２光源部４０ｂとで構成されている。よって、照明光源２００から出射される光の色温度と光量は、第１光源部４０ａと第２光源部４０ｂからそれぞれ出射される光量で決まる。なお、第１実施形態において第１光源部４０ａの色温度は２８００Ｋである。第２光源部４０ｂの色温度は、６５００Ｋである。
【００２３】
調光調色制御装置２０は、ダイヤル１１から指標１２の位置に応じたＰＷＭ信号Ｓ０が入力される。調光調色制御装置２０は、そのＰＷＭ信号Ｓ０と調光調色カーブ情報ＳＡとに基づき、調光信号ｓ１，ｓ２を生成する。また、調光調色制御装置２０は、ユーザがダイヤル１１で特定の回動操作を実施すると、それに対応した調光調色カーブ情報ＳＡを選択する。
【００２４】
≪調光調色カーブ情報ＳＡの例≫
図３は、第１の実施形態における調光調色カーブ情報ＳＡと光量および色温度の関係を説明するグラフである。
調光調色カーブ情報ＳＡは、カーブＡからカーブＤまでの４つの調光調色カーブである。
グラフの縦軸は、照明光源２００から出射される光の光量である。グラフ横軸は照明光源２００から出射される光の色温度である。色温度が２８００Ｋのときは、電球色という。電球色で光量５０％の明るさは、くつろぎに最適である。色温度が５０００Ｋのときは、昼白色といい、光量１００％の明るさを提供可能である。色温度が６５００Ｋのときは、昼光色といい、朝のお目覚め時や昼間の補助光に適する。
【００２５】
調光調色制御装置２０がカーブＡを選択しているとき、ユーザがダイヤル１１の指標１２を３００°から０°に回動させると、照明光源２００の光量と色温度はポイントｂ→ｄ→ｅへと遷移する。指標１２の位置が３００°のとき（ポイントｂ）、照明光源２００は、昼光色と昼白色の中間の色温度である。指標１２の位置が３００°から０°に回動すると、照明光源２００は、先ず色温度のみが低下し、そののち光量５０％に低下かつ色温度が電球色となる。
【００２６】
調光調色制御装置２０がカーブＢを選択しているとき、ユーザがダイヤル１１の指標１２を３００°から０°に回動させると、照明光源２００の光量と色温度はポイントｃ→ｆ→ｇと遷移する。指標１２の位置が３００°のとき（ポイントｃ）、照明光源２００は、昼白色かつ光量を１００％である。指標１２の位置が３００°から０°に回動すると、照明光源２００は、先ず光量のみが１％まで低下し、そののち光量１％のまま色温度が電球色となる。
【００２７】
調光調色制御装置２０がカーブＣを選択しているとき、ユーザがダイヤル１１の指標１２を３００°から０°に回動させると、照明光源２００の光量と色温度はポイントａ→ｂ→ｃ→ｄ→ｅと遷移する。指標１２の位置が３００°のとき（ポイントａ）、照明光源２００は、光量５０％の昼光色である。指標１２の位置が３００°から０°に回動すると、照明光源２００は、先ず光量が増大かつ色温度が低下して光量１００％の昼白色となり、更に光量が減少かつ色温度が低下して光量５０％の電球色となる。
【００２８】
調光調色制御装置２０がカーブＤを選択しているとき、ユーザがダイヤル１１の指標１２を３００°から０°に回動させると、照明光源２００の光量と色温度はポイントａ→ｆ→ｅと遷移する。指標１２の位置が３００°のとき（ポイントａ）、照明光源２００は、光量５０％の昼光色である。指標１２の位置が３００°から０°に回動すると、照明光源２００は、先ず光量が減少かつ色温度が低下して光量１％の昼白色となり、更に光量が増大かつ色温度が低下して光量５０％の電球色となる。
このように、調光調色制御装置２０がカーブＡ〜Ｄのうち１つを選択することにより、ユーザは、所望の調光調色制御を行うことができる。
なお、調光調色カーブは、図３に示したカーブＡ〜Ｄに限定されない。
【００２９】
図４（ａ），（ｂ）は、カーブＡにおける各点灯回路の出力電流とダイヤル１１の回転角との関係を示す図である。適宜図１、図２を参照して説明する。
図４（ａ）は、各点灯回路の出力電流とダイヤル１１の回転角とを示すグラフである。グラフの縦軸は、出力電流Ｉａ，Ｉｂを示している。グラフの横軸は、ダイヤル１１の回転角を示している。
ユーザがダイヤル１１を３００°から０°に回動させると、第１点灯回路３０ａの出力電流Ｉａは、ポイントＡ１→Ｂ１→Ｃ１へと遷移する。第２点灯回路３０ｂの出力電流Ｉｂは、ポイントＡ２→Ｂ２→Ｃ２へと遷移する。
【００３０】
図４（ｂ）は、カーブＡにおける各点灯回路の出力電流とダイヤル１１の回転角との関係を示す図である。
ダイヤル１１の指標１２の位置が３００°のときは、図３のポイントｂに相当する。このとき、第１点灯回路３０ａの出力電流Ｉａは３５０［ｍＡ］であり、第２点灯回路３０ｂの出力電流Ｉｂは７００［ｍＡ］であり、合計１０５０［ｍＡ］である。
ダイヤル１１の指標１２の位置が１５０°のときは、図３のポイントｄに相当する。このとき、第１点灯回路３０ａの出力電流Ｉａは７００［ｍＡ］であり、第２点灯回路３０ｂの出力電流Ｉｂは３５０［ｍＡ］であり、合計１０５０［ｍＡ］である。
ダイヤル１１の指標１２の位置が０°のときは、図３のポイントｅに相当する。このとき、第１点灯回路３０ａの出力電流Ｉａは７００［ｍＡ］であり、第２点灯回路３０ｂの出力電流Ｉｂは０［ｍＡ］であり、合計７００［ｍＡ］である。
カーブＢ〜Ｄの場合も同様に「ダイヤル１１の回転角に応じて出力電流Ｉａ，Ｉｂが変化して、調光調色が行われる。
【００３１】
図５は、調光調色カーブの選択処理を示すフローチャートである。
情報判断部２３は、図５に示す選択処理により、特定の調光調色カーブ情報ＳＡを選択する。図５の選択処理は、例えば所定の時間間隔で呼び出されて実行される。
【００３２】
ステップＳ１０において、情報判断部２３は、ダイヤル１１の指標１２が選択モード開始の位置であるエリア＃２に位置しているか否かを判断する。情報判断部２３は、指標１２がエリア＃２に位置していたならば、ステップＳ１１の処理に進み、指標１２がエリア＃１、＃３に位置していたならば、図５の処理を終了する。
【００３３】
ステップＳ１１において、情報判断部２３は、ダイヤル１１の指標１２が回動動作によってエリア＃２から外れたか否かを判断する。情報判断部２３は、指標１２がエリア＃２に位置していたならば（Ｙｅｓ）、ステップＳ１１の処理に戻り、それ以外ならば（Ｎｏ）、ステップＳ１２の処理に進む。
【００３４】
ステップＳ１２において、情報判断部２３は、ダイヤル１１の指標１２が回動動作によってエリア＃２からエリア＃１、＃３のいずれかに移動したか否かを判断する。すなわち、情報判断部２３は、指標１２がエリア＃１に移動したのか、または、エリア＃３に移動したのかを判断している。情報判断部２３は、指標１２がエリア＃１に移動したならば、ステップＳ１３の処理に進み、指標１２がエリア＃３に移動したならば、ステップＳ１９の処理に進む。
ステップＳ１３において、情報判断部２３は、タイマ２１を設定すると共に、タイマ２１により時間のカウントを開始する。
ステップＳ１４において、情報判断部２３は、ダイヤル１１の指標１２の往復回数をカウントする。ここで往復回数とは、ダイヤル１１の指標１２がエリア＃１からエリア＃３に移動したのち、エリア＃１に戻る回数をいう。具体的にいうと、ユーザは、所望の調光調色カーブに対応する回数だけ、ダイヤル１１の指標１２を往復させる。
【００３５】
ステップＳ１５において、情報判断部２３は、タイマ２１によりタイムアウト（第１所定時間の経過）を判断する。情報判断部２３は、タイムアウトしていないと判断したならば（Ｎｏ）、ステップＳ１４の処理に戻り、タイムアウトしていると判断したならば（Ｙｅｓ）、ステップＳ１６の処理に進む。
すなわち、ステップＳ１３〜Ｓ１５の処理において、情報判断部２３は、第１所定時間内にダイヤル１１の指標１２がエリア＃１とエリア＃３との間を何回往復したかをカウントしている。すなわち情報判断部２３は、第１所定時間内におけるＰＷＭ信号Ｓ０（調光調色情報）の変化が予め定めた特定の変化と一致するか否かを判断している。
なお、第１所定時間は、例えば３秒程度に設定されている。これは、通常の調光調色の操作では行われない特殊な操作である。よって、ユーザが意図せずに調光調色カーブを切り替えることを抑止可能である。
【００３６】
ステップＳ１６において、情報判断部２３は、カウントした往復回数に基づいて、メモリ２２に予め記憶されている４種類の調光調色カーブ情報ＳＡのうち、いずれか１つを選択する。情報判断部２３は、移動回数が２回ならば、ステップＳ１７の処理に進み、移動回数が３回ならば、ステップＳ１８に進む。
ステップＳ１７において、情報判断部２３は、カーブＡを選択し、図５の処理を終了する。ステップＳ１８において、情報判断部２３は、カーブＢを選択し、図５の処理を終了する。情報判断部２３は、ＰＷＭ信号Ｓ０の特定の変化に対応する調光調色カーブ情報を選択する、
具体的にいうと、ユーザは、ダイヤル１１の指標１２をエリア＃２からエリア＃１に移動させ、３秒以内の指標１２の往復操作により、カーブＡまたはカーブＢを選択する。ユーザは、ダイヤル１１の指標１２の２回の往復操作により、カーブＡを選択することができる。ユーザは、ダイヤル１１の指標１２の３回の往復操作により、カーブＢを選択することができる。
なお、誤動作または意図しない調光調色カーブの切り替わりを避けるために、情報判断部２３には、往復回数が１回となる分岐や、極めて多数の往復回数の分岐は設定しないことが好ましい。
【００３７】
ステップＳ１９〜Ｓ２２の処理は、エリア＃１とエリア＃３とが入れ替わるほかは、前記したステップＳ１３〜Ｓ１６の処理と同様である。
ステップＳ２３において、情報判断部２３は、カーブＣを選択し、図５の処理を終了する。ステップＳ２４において、情報判断部２３は、カーブＤを選択し、図５の処理を終了する。具体的にいうと、ユーザは、ダイヤル１１の指標１２をエリア＃２からエリア＃３に移動させ、３秒以内の指標１２の往復操作により、カーブＣまたはカーブＤを選択する。ユーザは、往復操作を２回実施したときカーブＣを選択し、この往復操作を３回実施したときカーブＤを選択する。
図５に示す選択処理によって、いずれかの調光調色カーブが選択されたならば、他の調光調色カーブが選択されるまでは、選択された調光調色カーブが照明器具に適用される。
【００３８】
以下、ダイヤル１１による調光調色カーブ情報ＳＡの具体的な選択操作の例として、カーブＡを選択する場合を説明する。
（操作＃１）  ユーザは、ダイヤル１１の指標１２をエリア＃２に設定する。
（操作＃２）  ユーザは、ダイヤル１１の指標１２をエリア＃１に移動させる。このときに、情報判断部２３は、タイマ２１によるカウントを開始する。
（操作＃３）  ユーザは、ダイヤル１１の指標１２を、エリア＃１からエリア＃３に移動させた後に、再びエリア＃１に戻す。ユーザは、この動作を第１所定時間内（３秒程度）に２回繰り返す。これにより、第１所定時間の経過と共に、照明制御システム１００が記憶する複数の調光調色カーブ情報ＳＡのうち、カーブＡが選択される。なお、この第１所定時間は、ダイヤル１１の指標１２がエリア＃２（特定の操作範囲）からエリア＃１（一方の操作範囲）またはエリア＃３（他方の操作範囲）に移動したタイミングを起点とする。
このように、照明制御システム１００は、汎用の調光器１０（コントローラ）を採用しても、ダイヤル１１の操作のみで所望の調光調色カーブに切り替えることができる。
【００３９】
≪第２の実施形態≫
図６は、第２の実施形態における照明制御システム１００Ａの概略を示す構成図である。図１に示す第１の実施形態の照明制御システム１００と同一の要素には同一の符号を付与している。
第２の実施形態の照明制御システム１００Ａは、第１の実施形態とは異なる調光器１０Ａと、調光調色制御装置２０Ａとを備えており、それ以外は第１の実施形態と同様である。
調光器１０Ａ（コントローラ）は、例えば壁面取り付け用の汎用のＡＣ電圧の調光器である。調光器１０Ａは、第１の実施形態の調光器１０とは異なり、ダイヤル１１により、調光調色制御装置２０Ａに印加する交流電圧を調整可能である。
調光調色制御装置２０Ａは、第１実施形態とは異なる情報判断部２３Ａ、瞬断対策部２５を備える。
【００４０】
第２の実施形態の情報判断部２３Ａは、位相制御された交流電力ＡＣ２からその位相（電気角）を検出して調光信号（ＰＷＭ信号）を生成する変換回路が設けられている。これにより、調光調色制御を行うことができる。
瞬断対策部２５は、例えば二次電池や電気二重層コンデンサなどであり、電力の瞬断が発生したときに、調光調色制御装置２０Ａに継続して電力を供給する。これにより、調光器１０Ａのダイヤル１１の操作により、調光調色制御装置２０Ａに供給される電力の瞬断が発生しても、継続して動作可能である。
第２の実施形態の照明制御システム１００Ａは、ＰＷＭ信号Ｓ０のオンデューティに代えて、交流電力ＡＣ２の位相によって、ダイヤル１１の指標１２の操作情報を取得可能である。情報判断部２３Ａは、この操作情報に基づき、調光調色カーブ情報ＳＡのいずれかを選択して、調光調色カーブを切り替えることができる。
これにより、壁面取り付け用の汎用のＡＣ電圧の調光器を用いて、調光調色カーブを切り替え可能な照明器具または照明制御システム１００Ａを実現可能である。
【００４１】
≪第３の実施形態≫
第３の実施形態の調光調色制御装置２０は、調光器１０のダイヤル１１の特定の操作に基づき、照明装置の色温度を選択したのち、従来の調光器と同様な機能である調光モードに遷移するものである。第３の実施形態の調光調色制御装置２０は、第１の実施形態（図１参照）と同様に構成されている。
以下、ダイヤル１１による調光調色カーブ情報ＳＡの具体的な選択操作の例を説明する。
（操作＃１）  ユーザは、調光器１０のスイッチ１３（図２参照）をオンし、第３所定時間内（例えば３秒以内）にダイヤル１１の指標１２を、エリア＃２からエリア＃１またはエリア＃３を２回以上往復させる。これにより調光調色制御装置２０は、色温度選定モードに遷移する。このように遷移条件を限定しているので、調光調色制御装置２０は、通常の調光操作によって、意図せずに色温度選定モードに遷移することはない。
なお、調光調色制御装置２０は、スイッチ１３がオンされた直後でなくとも、所定の往復操作のみで色温度選定モードに遷移してもよい。また、色温度選定モードに遷移する条件は、第３所定時間内に予め定められた特定の調光操作が実行されればよく、限定されない。
（操作＃２）  ユーザは、ダイヤル１１の指標１２を調整して、好みの色温度に合わせる。調光調色制御装置２０が色温度選定モードに遷移したのち、第４所定時間（例えば３秒）が経過すると、その時点での色温度に固定され、かつ調光モードに遷移する。
（操作＃３）  調光モードに遷移した後、ユーザは、ダイヤル１１の指標１２を調整して、好みの調光を行う。
【００４２】
図７は、第３の実施形態における調光調色カーブ情報と光量および色温度の関係を説明するグラフである。
カーブＰは、色温度選定モードにおける調光調色カーブ情報である。このときユーザは、ダイヤル１１の操作により、好みの色温度に合わせることができる。
カーブＱ〜Ｕは、調光モードにおける調光調色カーブ情報である。このときユーザは、ダイヤル１１の操作により、好みの調光を行うことができる。
カーブＱは、例えば色温度選定モードにおいて、指標１２の角度を０°に設定することで選択可能である。カーブＱのとき、照明は電球色である。
カーブＲは、例えば色温度選定モードにおいて、指標１２の角度を７５°に設定することで選択可能である。カーブＲのとき、照明は電球色と昼白色の中間である。
カーブＳは、例えば色温度選定モードにおいて、指標１２の角度を１５０°に設定することで選択可能である。カーブＳのとき、照明は昼白色である。
【００４３】
カーブＴは、例えば色温度選定モードにおいて、指標１２の角度を２２５°に設定することで選択可能である。カーブＴのとき、照明は昼白色と昼光色の中間である。
カーブＵは、例えば色温度選定モードにおいて、指標１２の角度を３００°に設定することで選択可能である。カーブＵのとき、照明は昼光色である。
このように、スイッチ１３のオン直後のみ色温度を選定するようにした。これにより、通常時は従来の調光器と同様に動作するので、ユーザに戸惑いを与えることがなくなる。また、スイッチ１３のオン直後の特定の動作により、色温度を選定することが可能となる。
【００４４】
図８は、第３の実施形態における調光調色カーブ情報の選択処理のフローチャートである。
情報判断部２３は、図８に示す処理により、色温度選択処理を呼び出す。図８の選択処理は、電源オン時に呼び出されて実行される。
ステップＳ３０において、情報判断部２３は、タイマ２１を設定すると共に、タイマ２１により時間（第３所定時間）のカウントを開始する。
ステップＳ３１において、情報判断部２３は、ダイヤル１１の指標１２が選択モード開始の位置であるエリア＃２に位置しているか否かを判断する。情報判断部２３は、指標１２がエリア＃２に位置していたならば、ステップＳ３２に進み、指標１２がエリア＃１、＃３に位置していたならば、図８の処理を終了する。
【００４５】
ステップＳ３２において、情報判断部２３は、ダイヤル１１の指標１２が選択モード開始の位置であるエリア＃２に位置しているか否かを判断する。情報判断部２３は、指標１２がエリア＃２に位置していたならば、ステップＳ３３の処理に進み、指標１２がエリア＃１、＃３に位置していたならば、ステップＳ３４の処理に進む。
ステップＳ３３において、情報判断部２３は、タイマ２１によりタイムアウト（第３所定時間の経過）を判断する。情報判断部２３は、タイムアウトしていないと判断したならば（Ｎｏ）、ステップＳ３２の処理に戻り、タイムアウトしていると判断したならば（Ｙｅｓ）、図８の処理を終了する。
【００４６】
ステップＳ３４において、情報判断部２３は、タイマ２１を設定すると共に、タイマ２１により時間のカウントを開始する。ここで設定する時間は、例えば３秒などである。
ステップＳ３５において、情報判断部２３は、ダイヤル１１の指標１２の往復回数をカウントする。ここで往復回数とは、ダイヤル１１の指標１２がエリア＃１からエリア＃３に移動したのちにエリア＃１に戻る回数、または、エリア＃３からエリア＃１に移動したのちにエリア＃３に戻る回数をいう。
ステップＳ３６において、情報判断部２３は、タイマ２１によりタイムアウト（第３所定時間の経過）を判断する。情報判断部２３は、タイムアウトしていないと判断したならば（Ｎｏ）、ステップＳ３５の処理に戻り、タイムアウトしていると判断したならば（Ｙｅｓ）、ステップＳ３７の処理に進む。
【００４７】
ステップＳ３７において、情報判断部２３は、カウントした往復回数を判断する。情報判断部２３は、カウントした往復回数が２回であったならば、色温度選択処理ステップＳ３８（図９参照）を呼び出し、カウントした往復回数が１回または３回以上であったならば、図８の処理を終了する。具体的にいうと、ユーザは、ダイヤル１１の指標１２を２回だけ往復させると色温度選択処理を呼び出す。
色温度選択処理ステップＳ３８を終了すると、調光調色制御装置２０は調光モードに遷移する。ユーザがダイヤル１１の指標１２を調整すると、調光調色制御装置２０は、調光のみを行う。
なお、図８のステップＳ３４において、情報判断部２３は、タイマ２１を再設定しているが、これに限定されず、この処理を実行しなくてもよい。このとき、情報判断部２３は、ステップＳ３０で設定したタイマの時間により、往復回数をカウントする。
【００４８】
図９は、色温度選択処理のフローチャートである。
ステップＳ４０において、情報判断部２３は、全ての色温度が再現される調色カーブに設定する。
ステップＳ４１において、情報判断部２３は、タイマ２１を設定すると共に、タイマ２１により時間（第４所定時間）のカウントを開始する。
【００４９】
ステップＳ４２において、情報判断部２３は、タイマ２１によりタイムアウト（第４所定時間の経過）を判断する。情報判断部２３は、タイムアウトしていないと判断したならば（Ｎｏ）、ステップＳ４２の処理に戻る。このときにユーザがダイヤル１１の指標１２を調整すると、調光調色制御装置２０は、設定された調色カーブに基づき、色温度で照明を制御する。情報判断部２３は、タイムアウトしていると判断したならば（Ｙｅｓ）、ステップＳ４３の処理に進む。
ステップＳ４３において、情報判断部２３は、選択された色温度に基づいて調光カーブを選択し、図９の処理を終了する。以降、調光調色制御装置２０は調光モードに遷移する。ユーザがダイヤル１１の指標１２を調整すると、調光調色制御装置２０は、調光のみを行う。調光モードに遷移したのちは、従来の調光装置と同様に動作するので、ユーザに戸惑いを与えることがなくなる。
【００５０】
（変形例）
本発明は、上記実施形態に限定されることなく、本発明の趣旨を逸脱しない範囲で、変更実施が可能であり、例えば、次の（ａ）〜（ｆ）のようなものがある。
（ａ）  図５に示した選択処理のフローチャートによれば、ステップＳ１５，Ｓ２１において、タイマ２１により第１所定時間（例えば３秒）の経過を判断したとき、情報判断部２３は、往復回数に基づいて調光調色カーブを選択している。しかし、これに限られず、往復回数が所定回数（２回または３回）であることをカウントしたならば、すぐさま調光調色カーブを選択してもよい。これにより、第１所定時間のタイムアウトを待たずとも、すぐさま選択した調光調色カーブを適用することができる。
【００５１】
（ｂ）  タイマ２１の設定とカウントを開始する条件は、ダイヤル１１の指標１２がエリア１からエリア２へ移動したときであってもよい。この場合、往復回数をカウントする条件は、エリア＃２⇒＃３⇒＃２⇒＃１⇒＃２となる。
（ｃ）  タイマ２１の設定とカウントを開始する条件は、ダイヤル１１の指標１２がエリア３からエリア２へ移動したときであってもよい。この場合、往復回数をカウントする条件は、エリア＃２⇒＃１⇒＃２⇒＃３⇒＃２となる。
【００５２】
（ｄ）  照明装置の調光調色カーブの選択は、第１所定時間内のダイヤル１１の指標１２の所定値（所定間隔：例えば９０度）以上の正方向移動と負方向移動との往復動作の繰り返し回数に基づいて実施してもよい。これにより、ダイヤル１１に指標１２が物理的に刻印されていなくても、ユーザは、所定間隔の往復動作によって容易に調光調色カーブを切り替えることができる。
（ｅ）  照明装置の調光調色カーブの選択は、第１所定時間内における調光器１０の出力信号の変化の繰り返し回数に基づいて実施してもよい。これにより、任意の調光器に対応可能とすることができる。
市販されている調光器は、調光器のダイヤルの指標位置と出力信号の変化との対応関係は様々である。具体的にいうと、例えばＡＣ電圧を制御する調光器は、ダイヤルの指標位置を最小に絞ったときでも所定の明るさで照明するように、所定の最小電圧を出力するものや、この最小電圧を設定可能なものが存在する。このような調光器を用いた場合でも、調光器の出力信号の変化を検知して、その繰り返し回数に基づいて調光調色カーブを選択することにより、本発明を適用可能である。
【００５３】
（ｆ）  上記実施形態で、情報判断部２３は、ダイヤル１１の指標１２の往復回数に応じた調光調色カーブを選択する。しかし、これに限られず、情報判断部２３は、ダイヤル１１の指標１２の往復回数ごとに、複数の調光調色カーブから順番に選択してもよい。情報判断部２３は、例えば、ダイヤル１１の指標１２をエリア＃１とエリア＃３との間を２回往復させる度に、カーブＡ⇒Ｂ⇒Ｃ⇒Ｄ⇒Ａ…のように順番に選択してもよい。これにより、第１所定時間内に３回の往復することなしにカーブＢやカーブＤを選択可能となり、手の力の弱い老人や子供や障碍者でも容易に操作可能となる。
【００５４】
（ｇ）  調光調色制御装置２０は、調光器１０のスイッチ１３をオンした直後の所定期間（第２所定時間：例えば１０秒）に限り、調光器１０のダイヤル１１の特定の操作に基づき、照明装置の調光調色カーブを選択するように構成してもよい。これにより、通常の調光操作時に誤って調光調色カーブを変更することがなくなる。
【００５５】
（ｈ）  調光器１０は、ダイヤル１１の代わりに、スライド式やタッチ式の操作部を設けて、上記実施形態と同様な操作情報を生成するものであってもよい。
【符号の説明】
【００５６】
１０  調光器
１１  ダイヤル
１２  指標
１３  スイッチ
１４  点灯部
２０  調光調色制御装置
２１  タイマ
２２  メモリ  （記憶部）
２３  情報判断部
２４  調光信号生成部
３０ａ  第１点灯回路
３０ｂ  第２点灯回路
４０ａ  第１光源部
４０ｂ  第２光源部
５０  商用電源
１００  照明制御システム
２００  照明光源
ＡＣ  交流電力
ＡＣ２  交流電力
ＳＡ  調光調色カーブ情報
Ｓ０  ＰＷＭ信号  （調光調色情報）
ｓ１，ｓ２  調光信号
【図１】
0006296554.tif 000002
【図２】
0006296554.tif 000003
【図３】
0006296554.tif 000004
【図４】
0006296554.tif 000005
【図５】
0006296554.tif 000006
【図６】
0006296554.tif 000007
【図７】
0006296554.tif 000008
【図８】
0006296554.tif 000009
【図９】
0006296554.tif 000010